(57)【要約】      （修正有）【課題】男性の排尿後、外尿道口近辺に残った尿で、パンツやズボンを濡らしたり、自己の足を伝う事を防止する外尿道口近辺尿吸い取り吸水性物品を提供する。【解決手段】蓋１、中蓋２、吸水体３および底部４で構成する。底部４を吸水体３の形状とし、かつやや窪みを持たせて吸水体を設置する。該吸水体３を、内側にドーナツ状の穴があいた中蓋２で押さえ込み、蓋１を閉じ、芯棒で各部分を繋いで全体を構成する。使用する場合は、蓋を９０度以上開け、親指と人差指、中指で蓋を挟み、外尿道口が吸水体に最も触れやすい角度で軽く押し当て、包茎の方は、外尿道口を中心として包皮を軽く押し当て、外尿道口近辺に残った尿を吸い取らせた後、蓋を閉める。【選択図】図１
0003149335.tif 000002
【実用新案登録請求の範囲】
【請求項１】
男性の排尿後、外尿道口近辺に残った尿を吸収させることを目的とした携帯できる蓋付き容器の底部上に吸水体を設けた吸水性物品。
【請求項２】
容器はプラスチックなど継続使用のできる材料でつくり、内側がドーナツ状に穴のあいた中蓋で吸水体を押さえ込ませることで安定させ、使用頻度に応じ、吸水体を交換する時は、中蓋を開けることで容易に吸水体を取り出し、交換できる構造である。
【請求項３】
吸水体は、吸水能力の高い高吸水性樹脂や高吸水性ポリマーを使用したシート状物品を用いる。
【請求項４】
シートの形状は、円形や楕円形とし、外周より内側が盛り上がった形とする。
【考案の詳細な説明】
【技術分野】
【０００１】  本考案は、男性の排尿後、外尿道口近辺に残った尿で、パンツやズボンを濡らしたり、自己の足を伝う事を防止する外尿道口近辺尿吸い取り吸水性物品に関する。
【背景技術】
【０００２】  従来、携帯使い捨て吸水具（特許出願公開昭６３−１２７７３３）、男性用トイレットペーパー（登録実用新案第３０７５５４４号）、男性用トイレットペーパー（実開平７−３３１９３）、残尿液のためのエチケットペーパー（登録実用新案第３０６４０１１号）と男性小便後の始末に関し、清潔を維持させるためのものがあった。
【考案の開示】
【考案が解決しようとする課題】
【０００３】  携帯使い捨て吸水具（特許出願公開昭６３−１２７７３３）は、使い捨てであることから経費が嵩む上、給水紙や脱脂綿の使用では、外尿道口を押し当てた際、尿が多ければ凹むことで吸水された尿が、外尿道口近辺に付き直すことが起こる。
また、容器を指で挟む部分に、引っ掛かりがなく、落とすことが考えられる。【０００４】  男性用トイレットペーパー（登録実用新案第３０７５５４４号）は、拭き取り部が中心に向かって凹んだ形となっており、外尿道口を真ん中にあてなければ、拭き取りにくく、まして包茎では、より拭き取りにくい。【０００５】  男性用トイレットペーパー（実開平７−３３１９３）、残尿液のためのエチケットペーパー（登録実用新案第３０６４０１１号）は、いずれも水に溶けやすい材質を使用するものであり、尿自体水分を含むことから、拭き取る時点で溶け始め凹むことで吸水された尿が、外尿道口近辺に付き直すことが起こる。まして包茎では、亀頭と包皮の間に残る尿の量が多く、この現象が著しくなる。【０００６】  携帯使い捨て吸水具（特許出願公開昭６３−１２７７３３）、男性用トイレットペーパー（登録実用新案第３０７５５４４号）、男性用トイレットペーパー（実開平７−３３１９３）、残尿液のためのエチケットペーパー（登録実用新案第３０６４０１１号）は、いずれも携帯可能であるが、外出する際は、複数個、携帯しなければならず、その個数を意識する必要がある上、携帯使い捨て吸水具（特許出願公開昭６３−１２７７３３）では嵩張ったり、その他の物では、衛生面や型崩れ防止の面から、別途容器に入れなければ携帯できない。
本考案は、以上の課題を解決するためになされたものである。
【課題を解決するための手段】
【０００７】  男性の排尿後、外尿道口近辺に残った尿を吸収させることを目的とした、携帯できる蓋付き容器の底部上に吸水体を設けた吸水性物品。【０００８】  容器はプラスチックなど継続使用のできる材料でつくり、内側がドーナツ状に穴のあいた中蓋で吸水体を押さえ込ませることで安定させ、使用頻度に応じ、吸水体を交換する時は、中蓋を開けることで容易に吸水体を取り出し、交換できる構造である。【０００９】  吸水体は、吸水能力の高い高吸水性樹脂や高吸水性ポリマーを使用したシート状物品を用いる。【００１０】  シートの形状は、円形や楕円形とし、外周より内側が盛り上がった形とする。
本考案は、以上の構成よりなる吸水性物品である。
【考案の効果】
【００１１】  本考案は、男性の排尿後、外尿道口近辺に残った尿で、パンツやズボンを濡らしたり、自己の足を伝う事を防止できる携帯型外尿道口近辺尿吸い取り吸水性物品であり包茎で恥垢が溜まることも減少させることができる。【００１２】  本考案により、小便後、陰茎を振って、外尿道口近辺の尿を振り落とさなくてよくなり、ズボンや床に散らすことがなくなる。【００１３】  容器は継続使用ができる材料で作り、吸水体は使用頻度に応じ、随時、容易に交換できる構造であり、一度の使用で終わる物品ではなく、経済的である。【００１４】  中蓋で吸水体を押さえ込んでおり、蓋を開け、次に中蓋を開け、容器を逆さにすれば吸水体は外れ落ち、新しい吸水体を設置し、中蓋、次に蓋を閉めれば吸水体交換完了と容易である。【００１５】  吸水体は、吸水能力の高い、高吸水性樹脂や高吸水性ポリマーを使用したシート状物品で、一度吸収すれば外尿道口近辺に残った尿の量であれば、再度、外部に染み出すことはなく、陰茎や包皮に付き直さず、シートの使用場所を変えれば、複数回の使用が可能である。【００１６】  シートは外周より内側が盛り上がった形で、殆どの部分で拭き取りが可能であり、包茎でも同じことが言える。【００１７】  本考案吸水性物品を携行すれば複数個持ち歩くこともなく、充分需要に足り、長時間の外出が予想される場合は、取替え用の吸水体を１個持てば足りる。【００１８】  蓋の裏側は凹んでおり、親指と人差指、中指で挟むことで、使用中に落とすことはなく、蓋を閉めることで再度収納しても清潔である。
【考案を実施するための最良の形態】
【００１９】  以下、本考案の実施の形態を説明する。
（イ）  本考案は、１蓋、２中蓋、３吸水体、４底部で構成する。
（ロ）  ４底部を３吸水体の形状で、やや窪みを持たせ、３吸水体を設置する。
（ハ）  ３吸水体を、内側がドーナツ状に穴のあいた２中蓋で押さえ込む。
（ニ）  １蓋をし、芯棒で各部分を繋ぐ。
本考案は、以上の構成よりなる。
本考案を使用する場合は、蓋を９０度以上開け、親指と人差指、中指で蓋を挟み、外尿道口が吸水体に最も触れやすい角度で軽く押し当て、包茎の方は、外尿道口を中心として包皮を軽く押し当て、外尿道口近辺に残った尿を吸い取らせた後、蓋を閉める。
【図面の簡単な説明】
【００２０】
【図１】  本考案による吸水性物品を示した斜視図である。
【図２】  本考案による吸水性物品を示した平面図である。
【図３】  本考案による吸水性物品の吸水体を示した側面図である。
【符号の説明】
【００２１】  １蓋
２中蓋
３吸水体
４底部
【図１】
0003149335.tif 000003
【図２】
0003149335.tif 000004
【図３】
0003149335.tif 000005
【手続補正書】
【提出日】平成21年1月21日(2009.1.21)
【手続補正１】
【補正対象書類名】実用新案登録請求の範囲
【補正対象項目名】全文
【補正方法】変更
【補正の内容】
【実用新案登録請求の範囲】
【請求項１】
男性の排尿後、外尿道口近辺に残った尿を吸収させる携帯できる吸水性物品であって、開閉自在な蓋付き容器と、該容器の底部上に交換可能に配設された吸水体と、を備えてなる、吸水性物品。
【請求項２】
内側がドーナツ状に穴のあいた開閉自在な中蓋であって、閉じることで前記容器の底部上に配設された前記吸水体を押さえ込み安定させ、開けることで前記容器から前記吸水体を取り出し可能な中蓋を、さらに備えてなる、請求項１に記載の吸水性物品。
【請求項３】
前記吸水体は、高吸水性樹脂又は高吸水性ポリマーを使用したシート状物品である、請求項１又は２に記載の吸水性物品。
【請求項４】
前記シート状物品は、外周より内側が盛り上がった形を有するものである、請求項３に記載の吸水性物品。